(57)【要約】【課題】手摺の笠木において、被覆材の芯材への装着作業性を損なうことなく、被覆材を芯材にしっかりと固定できるようにする。【解決手段】把持部４が筒状で長さ方向に延びる開口部５を備えた弾性体の被覆材１を、底部に長さ方向に延びる開放溝８を備えた芯材２に被せ、把持部４の両側の折返突条６を、芯材２の両側の係止部９に係合させて形成する手摺の笠木において、被覆材１は、把持部４の両側から開口部５へ向けて対向するように内側へ突き出す肉薄の内突片７を備えたものとする。芯材２の開放溝８の両側に臨む部分には、被覆材１の内突片７を沿わせ、被覆材１の開口部５を介し芯材２の開放溝８に弾性体の溝埋材３を押し込んで、芯材２の底部と溝埋材３の間に内突片７を挟み込むことにより、芯材２に被覆材１を固定する。【選択図】図５
2019157585.tif 000002
【特許請求の範囲】
【請求項１】
把持部(4)が筒状で長さ方向に延びる開口部(5)を備えた弾性体の被覆材(1)を、底部に長さ方向に延びる開放溝(8)を備えた芯材(2)に被せ、把持部(4)の両側の折返突条(6)を、芯材(2)の両側の係止部(9)に係合させて形成する手摺の笠木において、
前記被覆材(1)は、把持部(4)の両側から開口部(5)へ向けて対向するように内側へ突き出す肉薄の内突片(7)を備えたものとし、
前記芯材(2)の開放溝(8)の両側に臨む部分には、被覆材(1)の内突片(7)を沿わせ、被覆材(1)の開口部(5)を介し芯材(2)の開放溝(8)に弾性体の溝埋材(3)を押し込んで、芯材(2)の底部と溝埋材(3)の間に内突片(7)を挟み込むことにより、芯材(2)に被覆材(1)を固定することを特徴とする手摺の笠木における被覆材の固定構造。
【請求項２】
前記被覆材(1)の内突片(7)は、把持部(4)の両側端から底当部(7a)及び中折部(7b)が開口部(5)へ向けて順次連なったものとし、
前記内突片(7)の底当部(7a)及び中折部(7b)が、それぞれ芯材(2)の開放溝(8)に臨む底面と内側面の角部に沿って折れ曲がった状態で、芯材(2)と溝埋材(3)の間に内突片(7)を挟み込むことを特徴とする請求項１に記載の手摺の笠木における被覆材の固定構造。
【請求項３】
前記被覆材(1)の内突片(7)は、把持部(4)の両側端から底当部(7a)及び中折部(7b)を順次介して折返部(7c)が連なったものとし、
前記内突片(7)の折返部(7c)が、芯材(2)の内部で溝埋材(3)の抜止部(12)に沿って中折部(7b)から折り返された状態で、芯材(2)と溝埋材(3)の間に内突片(7)を挟み込むことを特徴とする請求項２に記載の手摺の笠木における被覆材の固定構造。
【請求項４】
前記被覆材(1)の内突片(7)には、ブラケットの受止座を回避するための切欠(7d)が設けられていることを特徴とする請求項１乃至３のいずれか１項に記載の手摺の笠木における被覆材の固定構造。
【発明の詳細な説明】
【技術分野】
【０００１】
この発明は、廊下や階段等に沿って設置される手摺の笠木において、被覆材を芯材に固定するための構造に関するものである。
【背景技術】
【０００２】
高齢化の進展に伴い、廊下や階段には連続的に手摺が設置され、バリアフリー環境が整備されつつある。このような手摺の笠木として、下記特許文献１には、図１１に示すようなものが記載されている。
【０００３】
この笠木は、弾性を有する合成樹脂製の被覆材５１を、金属製の芯材５２に被せたものである。被覆材５１は、把持部５３が円筒状で長さ方向に延びる開口部５４を備え、把持部５３の両側に折返突条５５を有している。芯材５２は、中空構造で底部に長さ方向に延びる開放溝５６を備え、その両側に係止部５７を有している。
【０００４】
被覆材５１は、折返突条５５が係止部５７に係合することにより、芯材５２に固定される。被覆材５１としては、折返突条５５と係止部５７の係合強度を確保するため、比較的撓みにくい硬いものが使用される。
【０００５】
そのため、上記笠木の施工に際しては、被覆材５１を加熱して軟化させた状態で、開口部５４を押し広げて、被覆材５１が冷める前に、被覆材５１を芯材５２に被せる必要があり、作業に非常に手間がかかる。また、コーナー部の施工に際しては、被覆材５１を曲げながら上記作業を行う必要があり、この作業は特に難しく、熟練を要する。
【０００６】
一方、下記特許文献２には、図１２（１２Ａ）に示すように、被覆材５１として、把持部５３の両側部から折返突条５５に至る格子状のハッチングを施した部分は比較的硬く、その他の部分は柔らかくなるように硬度調整したものを使用する固定構造が記載されている。その施工に際しては、被覆材５１を加熱することなく、常温で押し広げて芯材５２に被せることができ、折返突条５５と係止部５７の係合強度も確保される。
【０００７】
なお、この笠木では、図１２（１２Ｂ）に示すように、折返突条５５と係止部５７との係合性を高めるため、折返突条５５の先端部は外側へ角度を変えて折り曲げられ、係止部５７は奥側が開口溝５６の内面から没入するように彫り込まれている。
【先行技術文献】
【特許文献】
【０００８】
【特許文献１】特開２０００−１７０３４１号公報
【特許文献２】特開２０１５−１９４０４４号公報
【発明の概要】
【発明が解決しようとする課題】
【０００９】
しかしながら、上記特許文献２に記載された笠木においても、被覆材５１の両側の折返突条５５の近傍部以外の部分を柔らかくしすぎると、被覆材５１の芯材５２への装着は容易にできるようになるものの、施工後に被覆材５１を強く捩じるように握られた場合などに、被覆材５１が芯材５２から不意に外れやすくなるという問題がある。
【００１０】
また、被覆材５１の把持部５３の両側部から折返突条５５に至る部分が硬いので、被覆材５１の長さ方向の曲げが困難であり、コーナー部に対応できないという問題もある。
【００１１】
そこで、この発明は、手摺の笠木において、被覆材の芯材への装着作業性を損なうことなく、被覆材を芯材にしっかりと固定できるようにすることを課題とする。
【課題を解決するための手段】
【００１２】
上記課題を解決するため、この発明は、把持部が筒状で長さ方向に延びる開口部を備えた弾性体の被覆材を、底部に長さ方向に延びる開放溝を備えた芯材に被せ、把持部の両側の折返突条を、芯材の両側の係止部に係合させて形成する手摺の笠木において、
前記被覆材は、把持部の両側から開口部へ向けて対向するように内側へ突き出す肉薄の内突片を備えたものとし、
前記芯材の開放溝の両側に臨む部分には、被覆材の内突片を沿わせ、被覆材の開口部を介し芯材の開放溝に弾性体の溝埋材を押し込んで、芯材の底部と溝埋材の間に内突片を挟み込むことにより、芯材に被覆材を固定することとしたのである。
【００１３】
また、前記被覆材の内突片は、把持部の両側端から底当部及び中折部が開口部へ向けて順次連なったものとし、
前記内突片の底当部及び中折部が、それぞれ芯材の開放溝に臨む底面と内側面の角部に沿って折れ曲がった状態で、芯材と溝埋材の間に内突片を挟み込むこととしたのである。
【００１４】
また、前記被覆材の内突片は、把持部の両側端から底当部及び中折部を順次介して折返部が連なったものとし、
前記内突片の折返部が、芯材の内部で溝埋材の抜止部に沿って中折部から折り返された状態で、芯材と溝埋材の間に内突片を挟み込むこととしたのである。
【００１５】
さらに、前記被覆材の内突片には、ブラケットの受止座を回避するための切欠が設けられているものとしたのである。
【発明の効果】
【００１６】
この発明に係る手摺の笠木における被覆材の固定構造では、被覆材を容易に芯材に被せられるように相当柔らかいものとしても、被覆材の内突片が芯材の底部と溝埋材の間に挟み込まれるので、被覆材を芯材から不意に外れないように、しっかりと芯材に固定することができるほか、コーナー部においても、被覆材を容易に曲げて、芯材に被せることができ、施工時の作業負荷が軽減される。
【００１７】
また、被覆材の内突片にブラケットの受止座を回避するための切欠を設け、内突片の切欠とブラケットの受止座とを係合させると、階段等において傾斜した笠木の被覆材に大きな体重が掛けられた場合でも、被覆材のずれが防止される。
【図面の簡単な説明】
【００１８】
【図１】この発明の第１実施形態に係る手摺の笠木における被覆材の固定構造を示す斜視図
【図２】同上の手摺の施工状態を下方から示す斜視図
【図３】同上の手摺の構成部材を示す分解斜視図
【図４】同上の被覆材を下方から示す斜視図
【図５】同上の笠木における（５Ａ）溝埋材の押込前の断面図、（５Ｂ）溝埋材の押込後の断面図
【図６】同上の笠木のブラケットによる壁面への取付状態を示す断面図
【図７】同上の階段への手摺の施工状態を示す斜視図
【図８】この発明の第２実施形態に係る手摺の笠木における被覆材の固定構造を示す斜視図
【図９】同上の被覆材を下方から示す斜視図
【図１０】同上の笠木における（１０Ａ）溝埋材の押込前の断面図、（１０Ｂ）溝埋材の押込後の断面図
【図１１】特許文献１に記載の手摺の笠木を示す断面図
【図１２】特許文献２に記載の手摺の笠木において（１２Ａ）芯材に被覆材を被せる過程を示す断面図、（１２Ｂ）芯材に被覆材を被せた状態を示す断面図
【発明を実施するための形態】
【００１９】
以下、この発明の実施形態を添付図面に基づいて説明する。
【００２０】
図１は、この発明の第１実施形態に係る被覆材の固定構造を採用した手摺の笠木の一部分を示し、図２及び図３は、この笠木を用いた手摺とその構成部材をそれぞれ示す。
【００２１】
この笠木は、柔軟で弾性を有するポリ塩化ビニル等の合成樹脂製の被覆材１と、アルミニウム等の剛性が高い金属製の芯材２と、エラストマー製の溝埋材３とから構成され、溝埋材３は、笠木を支持するブラケット２１の部分で分割されている。
【００２２】
図４に示すように、被覆材１は、把持部４が円筒状で、長さ方向に延びる開口部５を備え、把持部４の両側に内面側へ折り返された折返突条６を有し、把持部４の両側端から開口部５へ向けて対向するように内側へ突き出す肉薄の内突片７を備えている。なお、把持部４は、角筒状であってもよい。
【００２３】
内突片７は、把持部４の両側端から底当部７ａ及び中折部７ｂが開口部へ向けて順次連なったものとされている。
【００２４】
内突片７には、後述のように、手摺の施工時にブラケット２１の受止座２２を回避するための切欠７ｄが設けられる。切欠７ｄは、底当部７ａ及び中折部７ｂをカッターナイフ等で切り込むことにより、施工現場で簡単に形成できる。
【００２５】
中折部７ｂは、図５（５Ａ）に示すように、溝埋材３の押込前の状態において、先端側が根元より開口部５の幅方向中央へ向けて少し迫り出している。
【００２６】
芯材２は、中空構造で底部に長さ方向に延びる開放溝８を備え、両側壁の外面の突出部に下方が開放された溝状の係止部９を有するものとされている。
【００２７】
溝埋材３は、表面が膨出曲面となった外鍔部１０と、その裏面中央部から突き出した栓部１１と、栓部１１の先端部から両側方へ張り出した先細りテーパー状の抜止部１２から成るものとされている。
【００２８】
このような笠木により手摺を施工する際には、図６に示すように、壁面Ｗにブラケット２１の取付座２３を固定し、受止座２２に芯材２を載せ、芯材２の開放溝８に受止座２２の固定用部材２２ａを挿入して回転させ、芯材２の開放溝８の両側に臨む底壁を締め付けることにより、芯材２をブラケット２１に固定する。
【００２９】
次に、被覆材１を常温のまま、鎖線で示すように押し広げて芯材２に被せ、その後、弾性により復元させて、把持部４の両側の折返突条６を、芯材２の両側の係止部９に係合させる。このとき、内突片７の切欠７ｄとブラケット２１の受止座２２とを対応させ、内突片７が受止座２２に干渉しないようにする。
【００３０】
これにより、図５（５Ａ）、（５Ｂ）に示すように、溝埋材３を、被覆材１の開口部５を介して芯材２の開放溝８に押し込むと、抜止部１２が幅方向に圧縮されつつ開放溝８を通過し、芯材２の内部で復元して、溝埋材３が開放溝８から抜け止めされる。また、把持部４と外鍔部１０の表面により、連続的な円筒面が形成される。
【００３１】
そして、内突片７の底当部７ａ及び中折部７ｂは、それぞれ芯材２の開放溝８の両側に臨む底面と内側面の角部に沿って折れ曲がった状態で、内突片７の底当部７ａが芯材２の開放溝８に臨む底面と溝埋材３の外鍔部１０の間に挟み込まれ、内突片７の中折部７ｂが芯材２の開放溝８に臨む内側面と溝埋材３の栓部１１の間に挟み込まれて、芯材２に被覆材１が固定される。
【００３２】
上記のような手摺の笠木における被覆材の固定構造では、被覆材１を容易に芯材２に被せられるように相当柔らかいものとしても、被覆材１の内突片７が芯材２の底部と溝埋材３の間に挟み込まれるので、被覆材１を芯材２から不意に外れないように、しっかりと芯材２に固定することができる。
【００３３】
また、例えば、図７に示すように、階段の踊り場等、壁面Ｗが角度をもって交わるコーナー部においても、被覆材１を容易に曲げて、芯材２に被せることができ、施工時の作業負荷が軽減される。
【００３４】
また、被覆材１の内突片７にブラケット２１の受止座２２を回避するための切欠７ｄを設けて、内突片７の切欠７ｄと受止座２２とを係合させ、階段等において傾斜した笠木の被覆材１に大きな体重が掛けられた場合でも、被覆材１のずれが防止されるようにしていることから、被覆材１を芯材２に接着剤等で固定する必要がない。
【００３５】
なお、上記第１実施形態では、被覆材１の内突片７が底当部７ａ及び中折部７ｂのみから成るものを例示したが、図８乃至図１０に示す第２実施形態のように、被覆材１の内突片７は、把持部４の両側端から底当部７ａ及び中折部７ｂを順次介して折返部７ｃが連なったものとしてもよい。
【００３６】
この実施形態では、図１０（１０Ａ）に示すように、被覆材１の把持部４の両側端部が芯材２の底面まで延び、溝埋材３の押込前の状態において、被覆材１の開口部５の幅が狭くなるように、内突片７の中折部７ｂが根元から先端側へかけて迫り出し、中折部７ｂから折返部７ｃが折り返された形状とされている。
【００３７】
そして、図１０（１０Ｂ）に示すように、溝埋材３を、被覆材１の開口部５を介して芯材２の開放溝８に押し込むと、内突片７の底当部７ａ及び中折部７ｂは、それぞれ芯材２の開放溝８の両側に臨む部分の底面及び内側面に沿い、溝埋材３の抜止部１２が開放溝８を通過した後、折返部７ｃは、芯材２の内部において、反発力により抜止部１２の基部側の段差に密着する。
【００３８】
このような固定構造では、内突片７の底当部７ａが小さい場合でも、折返部７ｃにより内突片７が開放溝８から抜け止めされて、被覆材１が芯材２にしっかりと固定される。
【符号の説明】
【００３９】
１  被覆材
２  芯材
３  溝埋材
４  把持部
５  開口部
６  折返突条
７  内突片
７ａ  底当部
７ｂ  中折部
７ｃ  折返部
７ｄ  切欠
８  開放溝
９  係止部
１０  外鍔部
１１  栓部
１２  抜止部
２１  ブラケット
２２  受止座
２２ａ  固定用部材
２３  取付座
Ｗ  壁面
【図１】
2019157585.tif 000003
【図２】
2019157585.tif 000004
【図３】
2019157585.tif 000005
【図４】
2019157585.tif 000006
【図５】
2019157585.tif 000007
【図６】
2019157585.tif 000008
【図７】
2019157585.tif 000009
【図８】
2019157585.tif 000010
【図９】
2019157585.tif 000011
【図１０】
2019157585.tif 000012
【図１１】
2019157585.tif 000013
【図１２】
2019157585.tif 000014